(57)【要約】      （修正有）【課題】気密性を必要としないキャップ及び容器本体より構成されるネジ式広口ジャータイプの化粧料容器において、キャップを締める際の使用感触が良く、しかもキャップの締りが輸送途中等の振動により、緩むことのない低コストの化粧料容器の提供。【解決手段】キャップと容器本体から構成されるネジ式広口ジャータイプの化粧料容器において、容器本体首部上端面と接触するキャップ内側にリブを３箇所以上設けることにより、当該リブの緩衝効果により、キャップを締める際の使用感触が良く、しかもキャップの締りが輸送途中等の振動により緩むことのない低コストの化粧料容器の提供が可能となった。【選択図】図２
2008207817.tif 000002
【特許請求の範囲】
【請求項１】
気密性を必要としないキャップ及び容器本体からなるネジ式広口ジャータイプの容器において、容器本体首部上端面と接触するキャップ内側にリブを設けたことを特徴とする化粧料容器。
【請求項２】
容器本体首部先端面と接触するキャップ内側に設けるリブの数が３箇所以上であることを特徴とする請求項１記載の化粧料容器。
【発明の詳細な説明】
【技術分野】
【０００１】
本発明は、化粧料容器に関し、詳しくは、キャップ及び容器本体より構成されるネジ式広口ジャータイプの化粧料容器において、キャップ内側にリブを設けて締め感触の向上及びトルクダウンによるキャップ脱落を防止した化粧料容器に関する。
【背景技術】
【０００２】
従来、クリーム等の化粧料を収納するキャップ及び容器本体より構成されるネジ式広口ジャータイプの化粧料容器は、収納物の特性上、気密性が必要となるため、一般にキャップ内側天面に樹脂性のパッキンを装着している。そして、クリーム等の化粧料を収納して密封する際、前記パッキンの特徴として適度の厚みと弾力を有しているため、その厚みと弾力により、キャップを締めて化粧料容器を密封する際に、容器本体首部上端面がパッキンに食い込むように密着する。このとき、パッキンに緩衝作用が発生し、パッキンと容器本体首部上端面との抵抗が徐々に大きくなることで、使用者はキャップを締める際の終了を実感してその作業を終了することが出来る。また、徐々にキャップを締める抵抗が大きくなるため、使用感触も満足できるものとなっている。
【０００３】
しかし、白粉等のメークアップ化粧料やベビーパウダーのような粉体化粧料を収納するキャップ及び容器本体より構成されるネジ式広口ジャータイプの化粧料容器においては、収納する化粧料の特性上、気密性を必要としない場合が多く、一般的にキャップにはパッキンが装着されていない。そして、白粉等のメークアップ化粧料やベビーパウダーのような粉体化粧料を上記のパッキンを装着していないキャップ及び容器本体より構成されるネジ式広口ジャータイプの化粧料容器に収納する場合において、キャップを締めるときにパッキンが装着されていないため、容器本体首部上端面とキャップ内側天面が突然に接触して締め作業が終了するため、使用感触が悪く、また、完全に締められていない場合が発生するという問題点があった。そして、完全にキャップが閉められていない場合は、輸送途中や商品購入後に持ち運ぶ際に、その振動によりキャップが開放し、時にはキャップが容器本体から脱落し、収納物である白粉等のメークアップ化粧料が飛散し、鞄等を汚すという問題点が発生する。
【０００４】
そこで、上記問題点を解決した気密性を必要としないキャップ及び容器本体より構成されるネジ式広口ジャータイプの化粧料容器において、キャップを締める際の使用感触が良く、しかもキャップの締りが輸送途中等の振動により、緩むことのない低コストの化粧料容器の提案が望まれていが、十分に満足する提案は未だなされていない。
【特許文献１】実公平６−２５９６号公報
【特許文献２】特開２００５−１０３０３２３号公報
【特許文献３】特開２００６−１６０３５４号公報
【発明の開示】
【発明が解決しようとする課題】
【０００５】
本発明の課題は、上記のような問題点を解決し、気密性を必要としないキャップ及び容器本体より構成されるネジ式広口のジャータイプの化粧料容器において、キャップを締める際の使用感触が良く、しかもキャップの締りが輸送途中等の振動により、緩むことのない低コストの化粧料容器の提供である。
【課題を解決するための手段】
【０００６】
本発明者は、上記問題点を解決する為、キャップと容器本体の接触部分に着目して鋭意研究した結果、容器本体首部上端面と接触するキャップ内側に突起（以下「リブ」と称す。）を設けることで、キャップを締める際の使用感触が良く、しかもキャップの締りが輸送途中等の振動により緩むことのないことを見出し、本発明の完成に至った。
【０００７】
即ち、本発明は、気密性を必要としないキャップ及び容器本体より構成されるネジ式広口のジャータイプの化粧料容器において、容器本体首部上端面と接触するキャップ内側に３箇所以上のリブを設けることで、キャップを締めるときにネジ部の傾斜に従い締め工程が終了する際、容器本体首部上端面と当該リブが接触することで徐々に締め抵抗が増加し、パッキンを装着した状態と同様な使用感触が得られると共に、当該リブと容器本体首部上端面の接触抵抗により、キャップが輸送途中等の振動により緩むことを防止している。
【発明の効果】
【０００８】
本発明の化粧料容器は、キャップの内側にリブを設ける単純な構造にするだけで、キャップを締める際の使用感触が良く、しかもキャップの締りが輸送途中等の振動により、緩むことのない低コストの化粧料容器の提供が可能である。
【発明を実施するための最良の形態】
【０００９】
本発明の化粧料容器に用いるキャップ及び容器本体の形状は、本発明の効果が損なわれない範囲において、ネジ式広口ジャータイプであれば、円柱状等任意に設定が可能である。また、キャップ及び容器本体に用いることができる材質は、樹脂、金属、紙、木材等特に限定はされないが、加工上樹脂が好ましい。そして、樹脂材質として、ポリエチレン、ポリエチレンテレフタレート（ＰＥＴ）、ポリプロピレン（ＰＰ）、アクリロニトリルスチレン（ＡＳ）、アクリロニトリルブタジエンスチレン（ＡＢＳ）、塩ビ等が例示できる。
【００１０】
本発明の化粧料容器のキャップに設けるリブに関して、設けるリブの数量は本発明の効果が損なわれない範囲で設定は任意に可能であるが、３箇所以上が好ましく、設けるリブの形状や大きさ、間隔についても本発明の効果が損なわれない範囲で任意に設定が可能である。例えば、形状に関して、半円形、楕円形、正方体、長方体、多面体等が挙げられる。また、大きさに関して、キャップを締める際に、容器本体首部上端面とキャップ内側が接触可能でしかもキャップに設けられたネジ部と連接しない範囲で任意に設定が可能であり、当該リブの凸部の高さは０．１〜０．５ｍｍが好ましく、凸部の幅は０．１〜１．０ｍｍが好ましい。そして、キャップ内側に設けるリブの間隔は、お互いのリブが等間隔になることが好ましい。
【実施例】
【００１１】
以下、本発明の実施形態を図１〜図５に基づき詳しく説明する。
図１は、本発明の実施の形態を示した図。図２は、図１に示した本発明の実施の形態の要部拡大図。図３は、本発明のキャップの要部拡大図。図４は、従来のキャップの要部拡大図。図５は、本発明のキャップの底面図。
【００１２】
従来の気密性を必要としないネジ式広口ジャータイプの化粧料容器は、図４に示すようにキャップにパッキンやリブが無く、また、締めしろが少ないため、キャップを締める工程において、キャップ内側の容器本体首部上端面２２とのキャップ内側接触部１２が突然接触して、締め工程が終了する。その際に、前記した締め感触の悪さやキャップの緩み等の問題が発生する。
【００１３】
本発明の化粧料容器は、図１に示すように、キャップ１及び容器本体２よりなるネジ式広口ジャータイプである。そして、図３に示すように容器本体首部上端面と接触するキャップ内側にリブ３を備えてなる構造を有する。
【００１４】
上記リブが、図２に示すように、キャップを締める工程の最終段階において、当該リブ３と容器本体首部上端面２２が接触する構造を有している。本発明の化粧料容器は、ネジ式広口ジャータイプであるため、キャップ１を容器本体２にセットして、キャップ１を回転させることによりキャップが締まるが、締め終わる段階において、ネジの締めしろがある段階で、キャップに設けたリブと容器本体首部上端面２２が接触し、徐々に締め抵抗が増大して樹脂製のパッキンを装着した場合と同様の緩衝効果を有する。そして、滑らかな締め感触を発生させると共にキャップ１と容器本体２との螺合強度を向上させ、輸送途中等の振動により緩むことのない化粧料容器となる。
【００１５】
また、本発明のネジ式広口ジャータイプの化粧料容器のキャップは、図５に示すように従来のキャップに３箇所以上のリブを設けるという簡単な構造を有するのみであるため、従来のキャップと比較しても金型及び成型コストの上昇は無く、従来のネジ式広口ジャータイプ化粧料容器と同程度のコストで提供が可能である。
【産業上の利用可能性】
【００１６】
本発明の化粧料容器は、キャップの内側にリブを設ける単純な構造をとるだけで、キャップを締める際の使用感触が良く、しかもキャップの締りが輸送途中等の振動により緩むことのない低コストの化粧料容器の提供が可能であるため、気密性を必要としない白粉等のメークアップ化粧料やベビーパウダー等の粉体化粧料等の容器として広く応用が期待できる。
【図面の簡単な説明】
【００１７】
【図１】本発明の実施の形態を示した図。
【００１８】
【図２】図１に示した本発明の実施の形態の要部拡大図。
【００１９】
【図３】本発明のキャップの要部拡大図。
【００２０】
【図４】従来のキャップの要部拡大図。
【００２１】
【図５】本発明のキャップの底面図。
【００２２】
【符号の説明】
【００２３】
１    キャップ
１１  ネジ部
１２  キャップ内側の容器本体首部上端との接触部
２    容器本体
２１  ネジ部
２２  容器本体首部上端面
３    リブ
【図１】
2008207817.tif 000003
【図２】
2008207817.tif 000004
【図３】
2008207817.tif 000005
【図４】
2008207817.tif 000006
【図５】
2008207817.tif 000007